(57)【要約】【課題】歩行介助用杖の使用時に身体の支持状態を安定させ、且つ歩行介助過程で杖の握り部が使用者の歩行に合わせて上下動なしに前進し、滑らかな体重移動を介助できること。【解決手段】上端部に握り部１２を形成した棒状の脚柱１１の下端部から略逆Ｔ字状に進行方向即ち前後方向へ伸びた足底部１３を形成し、その足底部１３の中央部分１４は円弧状に上方に曲がっており、且つその円弧状中央部分１４の前方終端位置からさらに前方向に上方へ傾斜して伸びる前方部分１５と後方終端位置からさらに後方向に上方へ傾斜して伸びる後方部分１６を有する。またその足底部の円弧状中央部分およびその終端位置から伸びる前方部分と後方部分の全てあるいはいずれかの一部を横方向に幅を広げて形成し、より好ましい安定性を図ったり、更に足底部の下面に複数個の石突きを設けることによって地面の若干の凹凸にも対応して滑らかな体重移動を介助できる。【選択図】　　　　　　図１
2004097726.tif 000002
【特許請求の範囲】
【請求項１】
上端部に握り部を形成した棒状の脚柱の下端部から略逆Ｔ字状に進行方向即ち前後方向へ伸びた足底部を形成し、その足底部の中央部分は円弧状に上方に曲がっており、且つその円弧状中央部分の前方終端位置からさらに前方向に上方へ傾斜して伸びる前方部分と、後方終端位置からさらに後方向に上方へ傾斜して伸びる後方部分を有することを特徴とする歩行介助用杖。
【請求項２】
上端部に握り部を形成した棒状の脚柱の下端部から略逆Ｔ字状に進行方向即ち前後方向へ伸びた足底部を形成し、その足底部の中央部分は円弧状に上方に曲がっており、且つその円弧状中央部分の前方終端位置からさらに前方向に上方へ傾斜して伸びる前方部分と、後方終端位置からさらに後方向に上方へ傾斜して伸びる後方部分のいずれか一方のみを有することを特徴とする歩行介助用杖。
【請求項３】
足底部の円弧状中央部分およびその終端位置から伸びる前方部分と後方部分の全てあるいはいずれかの一部を横方向に幅を広げて形成することを特徴とする請求項１または２記載の歩行介助用杖。
【請求項４】
足底部の下面に複数個の石突きを設けることを特徴とする請求項１、２または３記載の歩行介助用用杖。
【発明の詳細な説明】
【０００１】
【発明の属する技術分野】
本発明は、足など身体の不自由な人が使用する、特にリハビリ等に適した歩行介助用の杖に関するものである。
【０００２】
【従来の技術および解決しようとする課題】
身体の不自由な人が従来の一本棒型杖を歩行介助用に使用した場合、一点で体重を支えるためまた握り部が前進回転に伴って上下動するため、体重を預けるのにはきわめて不安定である。また歩行介助用杖としてその下端部を広げ、その下面に３個又は４個の石突きを設けて安定支持を図ったものがあるが、杖を突いた位置に握り部の位置が固定されていて前進しないので使用者の歩行に合わせた滑らかな体重移動を介助できない。又、下端部に複数の車輪を設け、その制動操作と合わせて滑らかな体重移動の介助を図ったものがあるが、車輪の回転に起因する体重支持の不安定要素が払拭されない。
【０００３】
本発明はこのような従来の問題を解決しようとするもので、杖を突いて歩行を始める時に体重を安定して支持し、あるいはまた一歩歩行の終わった時にも体重を安定して支持して且つ、杖の握り部が使用者の歩行に合わせて上下動なしに前進し、滑らかな体重移動を介助できる杖を提供することを目的とする。
【０００４】
【課題を解決するための手段】
上記目的を達成するために、本発明による歩行介助用杖は上端部に握り部を形成した棒状の脚柱の下端部から略逆Ｔ字状に進行方向即ち前後方向へ伸びた足底部を形成し、その足底部の中央部分は円弧状に上方に曲がっており、且つその円弧状中央部分の前方終端位置からさらに前方向に上方へ傾斜して伸びる前方部分と後方終端位置からさらに後方向に上方へ傾斜して伸びる後方部分を有する。
【０００５】
また、足底部に円弧状中央部分の終端位置から伸びる前方部分あるいは後方部分のいずれか一方のみを有する構成とし、使用者の身体機能やリハビリの進み具合に合わせて使い分けることを図ったものである。
【０００６】
また本発明による歩行介助用杖は足底部の円弧状中央部分およびその終端位置から伸びる前方部分と後方部分の全てあるいはいずれかの一部を横方向に幅を広げて形成し、より好ましい安定性を図ったものである。
【０００７】
またさらに、足底部の下面に複数個の石突きを設ける構成をしたものである。
【０００８】
【発明の実施の形態】
以下、添付の図１〜７を参照して本発明の実施の形態を説明する。
図１は本発明を適用した第１実施形態による歩行介助用杖の進行方向の左側面やや後上方から見た斜視図、図２はその歩行介助過程を示した左側面図である。上端部に握り部１２を形成した棒状の脚柱１１の下端部から略逆Ｔ字状に進行方向即ち前後方向へ伸びた足底部１３を形成し、その足底部１３の中央部分１４は円弧状に上方に曲がっており、且つその円弧状中央部分１４の前方終端位置からさらに前方向に上方へ傾斜して伸びる前方部分１５と後方終端位置からさらに後方向に上方へ傾斜して伸びる後方部分１６を有する。全体を集成木材から成形加工する。またアルミニウム等の金属管の溶接構造でも成形できる。なおまた集成木材、アルミニウム等の金属板や管あるいは強化樹脂材等で支柱１１、握り部１２または足底部１３等を別々に成型して、それぞれをネジ、リベット、溶接又は接着等により結合し全体を形作ることもできる。
【０００９】
図３は本発明を適用した第２実施形態による歩行介助用杖の進行方向の左側面やや後上方から見た斜視図、図４はその歩行介助過程を示した左側面図である。この実施形態では上端部に握り部２２を形成した棒状の脚柱２１の下端部から略逆Ｔ字状に進行方向即ち前後方向へ伸びた足底部２３を形成し、その足底部２３の中央部分２４は円弧状に上方に曲がっており、且つその円弧状中央部分２４の後方終端位置からさらに後方向に上方へ傾斜して伸びる後方部分２６を有するが、前方向へは中央部分２４がそのまま円弧状に曲がりながら前端まで伸び出ている。なおこの実施形態とは逆に、足底部２３の中央部分２４は円弧状に上方に曲がっており、且つその円弧状中央部分２４の前方終端位置からさらに前方向に上方へ傾斜して伸びる前方部分を有するが、後方向へは中央部分２４がそのまま円弧状に曲がりながら後端まで伸び出ている形態にすることもできる。第１実施形態と同様に全体を集成木材から成型加工したり、またアルミニウム等の金属管の溶接構造でも成形でき、または集成木材、アルミニウム等の金属板や管あるいは強化樹脂材等で各部を成型して、それぞれをネジ、リベット、溶接又は接着等により結合し全体を形作ることができる。
【００１０】
図５は本発明を適用した第３実施形態による介助用杖の進行方向の左側面やや後上方から見た斜視図である。この実施形態では上端部に握り部３２を形成した棒状の脚柱３１の下端部から略逆Ｔ字状に進行方向即ち前後方向へ伸びた足底部３３を形成し、その足底部３３の中央部分３４は円弧状に上方に曲がっており、且つその円弧状中央部分３４の前方終端位置からさらに前方向に上方へ傾斜して伸びる前方部分３５と後方終端位置からさらに後方向に上方へ傾斜して伸びる後方部分３６を有する。そしてその足底部３３の円弧状中央部分３４およびその終端位置から伸びる前方部分３５と後方部分３６の一部を横方向に幅を広げて形成し、より好ましい安定性を図ったものである。前述実施形態と同様に全体を集成木材から成型加工したり、またアルミニウム等の金属管の溶接構造でも成形でき、または集成木材、アルミニウム等の金属板や管あるいは強化樹脂材等で各部を成型して、それぞれをネジ、リベット、溶接又は接着等により結合し全体を形作ることができる。
【００１１】
図６は本発明を適用した第４実施形態による介助用杖の進行方向の左側面やや後上方から見た斜視図であり、図７は進行方向の左側面やや後下方から見た斜視図である。この実施形態では上端部に握り部４２を形成した棒状の脚柱４１の下端部から略逆Ｔ字状に進行方向即ち前後方向へ伸びた足底部４３を形成し、その足底部４３の中央部分４４は円弧状に上方に曲がっており、且つその円弧状足底部４３の前方終端位置からさらに前方向に上方へ傾斜して伸びる前方部分４５と後方終端位置からさらに後方向に上方へ傾斜して伸びる後方部分４６を有する。そしてその足底部４３の中央部分４４と前方部分４５および後方部分４６の一部を横方向に幅を広げて形成し、且つ足底部４３の下面に複数個の石突き４７を設けてより好ましい安定性を図ったものである。前述実施形態と同様に全体を集成木材から成型加工したり、またアルミニウム等の金属管の溶接構造でも成形でき、または集成木材、アルミニウム等の金属板や管あるいは強化樹脂材等で各部を成型して、それぞれをネジ、リベット、溶接又は接着等により結合し全体を形作ることができる。また石突き４７はゴム、樹脂等弾力性のある素材で成形して足底部４３の下面に固着する。
【００１２】
【発明の効果】
以上のように、請求項１記載の発明によれば図２に示すように、杖を突いて歩行を始める時に体重を安定して支持し、一歩歩行の終わった時にも体重を安定して支持して且つ、杖の握り部が使用者の歩行に合わせて上下動なしにＬ１とＬ２の距離を前進し、滑らかな体重移動を介助できる。
【００１３】
また請求項２記載の発明によれば図４に示すように、握り部の前進距離がより長くなり更に滑らかな体重移動を介助できるので、使用者が身体機能やリハビリの進み具合に合わせて使い分けることができる。
【００１４】
また請求項３記載の発明によれば一歩歩行過程の始めと終わりの両時あるいはいずれかでより安定して体重を支持できる。
【００１５】
更にまた請求項４記載の発明によれば地面の若干の凹凸にも対応して滑らかな体重移動を介助できる。
【図面の簡単な説明】
【図１】本発明を適用した第１実施形態による介助用杖の進行方向の左側面やや後上方から見た斜視図である。
【図２】第１実施形態での介助用杖の歩行介助過程を示した左側面図である。
【図３】本発明を適用した第２実施形態による介助用杖の進行方向の左側面やや後上方から見た斜視図である。
【図４】第２実施形態での介助用杖の歩行介助過程を示した左側面図である。
【図５】本発明を適用した第３実施形態による介助用杖の進行方向の左側面やや後上方から見た斜視図である。
【図６】本発明を適用した第４実施形態による介助用杖の進行方向の左側面やや後上方から見た斜視図である。
【図７】第４実施形態による介助用杖の進行方向の左側面やや後下方から見た斜視図である。
【符号の説明】
１１，２１、３１、４１　脚柱
１２，２２、３２，４２　握り部
１３、２３，３３，４３　足底部
１４、２４，３４，４４　足底部の中央部分
１５、３５，４５　　　　足底部の前方部分
１６、２６，３６，４６　足底部の後方部分
４７　　　　　　　　　　石突き
Ｌ１、Ｌ２　　　　　　　握り部の前進移動距離
【図１】
2004097726.tif 000003
【図２】
2004097726.tif 000004
【図３】
2004097726.tif 000005
【図４】
2004097726.tif 000006
【図５】
2004097726.tif 000007
【図６】
2004097726.tif 000008
【図７】
2004097726.tif 000009